(57)【要約】【課題】従来、行われてきた密着コアの係止方法は、その都度止着ヘッドを挿入取付け具から取外し、コアを係止した後に再度止着ヘッドを挿入取付け具に螺合しなければならず多くの労力が必要であり、周壁が上方に拡開した断裂形の取付けリングによりコアを挿通する方法はリングが脆弱という問題があった【解決手段】拡開方向に付勢されて上方に向かって拡開する拡縮自在なフランジ体５２を有する係止リング５を、密着コア挿入取付け具の先端に装着し、下方からフランジ体を縮窄しつつ密着コア３を挿通して密着コア下端で拡開させることにより、挿入取付け具の先端部に密着コアを係止するように構成した。【選択図】図１
2008164047.tif 000002
【特許請求の範囲】
【請求項１】
拡開方向に付勢されて外方に向かって拡開する拡縮自在なフランジ体を有する係止リングを、密着コア挿入取付け具の先端に装着し、下方からフランジ体を縮窄しつつ密着コアを挿通して密着コア下端で拡開させることにより、挿入取付け具の先端部に密着コアを係止することを特徴とする密着コア挿入取付け具への密着コア係止方法
【請求項２】
挿入取付け具の先端に軸方向に螺合孔を穿設し、係止リングを挿通した係止ビスを螺合して係止ビスの傘頭と螺合孔縁に係止リング本体部を挟着して挿入取付け具の先端に係止リングを装着するようにした請求項１記載の密着コア挿入取付け具への密着コア係止方法
【請求項３】
筒状躯体の下部外周に、拡開方向に付勢されて外方に向かって拡開する拡縮自在なフランジ体を設けて成る密着コア挿入取付け具への密着コア係止具
【請求項４】
フランジ体を、所定幅毎に区切った舌片形状に構成した請求項３記載の密着コア挿入取付け具への密着コア係止具
【発明の詳細な説明】
【技術分野】
【０００１】
本発明は、水道配管の本管から支管に分岐して配水される際に、支管基部に配設されて支管への給水を開閉制御する分水栓の設置等に際し、分水栓等への通水口となる本管穿孔部から分水栓通水口にかけて挿通し孔壁に密着して管外径部との水の接触を防止すると共に、穿孔壁の錆発生を防止する密着コアを、本管穿孔部から分水栓通水口にかけて装着するための挿入取付け具に密着コアを係止する係止方法と係止具に関するものである。
【背景技術】
【０００２】
密着コアを穿孔孔壁に挿通するには、挿入棒等の挿入取付け具の先端に密着コアを係止して穿孔部に挿入しコアを拡開させて孔壁に密着させ、挿入取付け具を抜去する方法によるが、拡開前に外れても挿入取付け具を抜去時に外れなくても目的を達成できない微妙な問題がある。
【０００３】
従来、この密着コアを挿入取付け具先端に係止する方法としては、例えば、特許文献１に記載されるように、大径部、中径部、小径部が形成され、小径部と中径部との間に第１傾斜部、中径部上部に第２傾斜部、第２傾斜部と大径部との間に第３傾斜部を形成した挿入取付け具本体の先端にネジ結合で取り付けられる止着ヘッドを外して本体下部からコアを挿通し、止着ヘッドを螺合させて止着ヘッドによりコアを係止する。
【０００４】
また、特許文献２に示されるように、周壁の一部を切り欠いたＣ型構成により弾性的に縮径可能に構成された取付けリングを、挿入取付け具先端の嵌入溝に嵌入して挿入取付け具に取付け、下側からリングを縮径させながらコアを挿通してリングを通過したところで、リング周壁の上縁にコアの底部を支持して係止することも提案されている。
【特許文献１】第３４６４８２５号特許公報
【特許文献２】特開２００６−１７０３９６号公報
【発明の開示】
【発明が解決しようとする課題】
【０００５】
しかしながら、ネジ結合による先端止着ヘッドにコアを係止する従来の方法は、その都度止着ヘッドを挿入取付け具から取外し、コアを係止した後に再度止着ヘッドを挿入取付け具に螺合しなければならないため、多くの時間と労力を必要とする。
【０００６】
また、Ｃ型取付けリングを、挿入取付け具先端の嵌入溝に嵌入して挿入取付け具に取付け、下側からリングを縮径させながらコアを挿通してリング周壁の上縁にコアの底部を支持して係止する方法は、Ｃ型取付けリングが構造的に脆弱であり、リング周壁の支持力を強化すれば嵌入溝への嵌入やコアの挿通が困難となり、嵌入溝への嵌入やコアの挿通を容易にすれば、取付けリングやコアが外れ易くなり確実な係止が困難となる。
【課題を解決するための手段】
【０００７】
本発明は上記した問題に鑑みこれに対応しようとするものであり、拡開方向に付勢されて外方に向かって拡開する拡縮自在なフランジ体を有する係止リングを、密着コア挿入取付け具の先端に装着し、下方からフランジ体を縮窄しつつ密着コアを挿通して密着コア下端で拡開させることにより、挿入取付け具の先端部に密着コアを係止するようにした。
【０００８】
また、挿入取付け具の先端に軸方向に螺合孔を穿設し、係止リングを挿通した係止ビスを螺合して係止ビスの傘頭と螺合孔縁に係止リング本体部を挟着して挿入取付け具の先端に係止リングを装着するようにして、係止リング本体が係止ビスの螺合によって挿入取付け具への係着を安定させるようにしたものである。
【０００９】
このような構成により、筒環状のリング本体がフランジ体の構造的安定性と堅牢性を保持すると共に、係止ビスの螺合によって係止リングを一旦装着すれば、係止リングが摩耗や径年疲労によって交換の必要を生ずるまでは何回でも密着コアを係止することができ、リングの交換も係止ビスの螺合だけで簡易迅速に行えるようにしたものである。
【００１０】
また、フランジ体を所定幅毎に区切った舌片形状に構成し、下方からフランジ体を縮窄しつつ挿通する様々な密着コアについて、一体的に連続したフランジ体では対応できない設定環境にも対応できるように構成した。
【実施例】
【００１１】
以下、図面を参照して分水栓の設置から密着コアの装着を行う本発明の実施例を説明する。３は密着コアで、純銅、燐脱酸銅などの可塑性素材によって構成され、外表面をゴム等の弾性素材による被膜層を固着した筒状本体３の頂部３３に押圧による曲折を予定した曲折構造３５を設け、その下部には装着される水道本管２上面にコア部材を支持するフランジ部３４が形成されている。
【００１２】
一般的な密着コアの挿入取付け具４は、上端に挿入機の螺孔と螺合する螺合杆（何れも図示しない。）が設けられ、上部にコア部材３の内径より大径のフランジ部４３、その下部にコア部材内径よりやや大径で下部がテーパー面となる拡径部４２、その下部にコア部材内径よりやや小径で先端がテーパー面４５となるコア部材着装部４１が設けられている。
【００１３】
挿入取付け具の先端コア部材着装部４１には軸方向に螺合孔４４が穿設され、係止リング５を係止ビスの傘頭６１とビスフランジ６２の間に本体部５１が挿通嵌着した係止ビス６を螺合することにより挿入取付け具４の先端に係止リング５が装着される。
【００１４】
係止リング５は筒環状の本体部５１の下部外周に、拡開方向に付勢されて外方に向かって拡開する拡縮自在なフランジ体５２を設けて構成され、密着コア３が下方から挿通されるとフランジ体５２は基部から順次に縮窄されて密着コア３が通過すると、密着コア下端突出部３１が挿入取付け具下端面に嵌まり込んで嵌合され、同時に密着コア下端でフランジ体５２が拡開されて密着コア下端を支持し、挿入取付け具の先端部に密着コア３が係止される。
【００１５】
係止ビス６には、傘頭６１の基部から係止リング本体部５１の長さ相当の間隔を置いた位置にビスフランジ６２が設定され、係止ビス６の締着により係止リング本体部５１が圧縮されないように構成される。このビスフランジ６２の設定については、係止ビスの基部に覆着する筒体の先端にフランジ６２を設けたスペーサー方式を用い、或いはリング本体部５１を合成樹脂製として軸孔内壁に雌ねじを刻設して係止ビス６に螺合するなどの方法によっても良い。
【００１６】
密着コア３の頂部３３の曲折構造部３５はくの字形に屈曲し、その上端内径端縁が内方に突出するように形成されているので、この突出部３２が挿入取付け具４のコア部材着装部４１の上端側に形成された支持部に係着して、前記３１の下端係止と相まってコア部材３が挿入取付け具４に安定的に係着される。
【００１７】
フランジ体５２については、漏斗状に一体形成しても良いが、他の実施例として、図４に示すように所定幅毎に区切った舌片の形状に構成すれば、密着コア頂部３３の形状に対応して舌片が屈曲し、フランジ部の縮窄を無理なく行うことができる。
【００１８】
次に、以上のように構成された挿入取付け具による分水栓密着コアのサドル付分水栓通水口１１への装着形態と、サドル付分水栓の構造について図５以下により説明すると、１は分水栓本体で、下部に分水栓を設置する水道配管の本管２に締着するサドル１２、その上部に通水口１１が開口する。
【００１９】
通水口１１の上部は弁室１３で、球弁回動軸１４に嵌合する操作杆によって回動する球弁１５を格納し、支管への通水路１６を開閉する。弁室１３の上部は開放孔１８となっていて常時はキャップ１７によって閉栓されている。
【００２０】
先ず、分水栓１を設置する水道配管の本管２に、分水栓に付設されたサドル１２によって分水栓を取付け、キャップ１７を外し球弁１５を開放状態にすると、分水栓上部開放孔１８から弁孔１９を通じて本管２への通孔が開通するので、開放孔を通じて本管２に穿孔機により穿孔通水孔２１を穿孔する。
【００２１】
穿孔通水孔が穿孔されると、本管２の水圧により水が穿孔機に設けられた排水路に溢出し、溢出水と共に穿孔による切粉等の不純物が排出されるので球弁１５を閉栓して止水し、キャップ１７が螺合していた螺合部４５に、密着コア３を係止した挿入取付け具４を挿入機（図示しない。）に接合して挿入機の螺着部を螺着し、球弁１５を開栓する。
【００２２】
球弁１５の開栓により、再び分水栓上部開放孔１８から弁孔１９を通じて本管２への通孔が開通する。なお、挿入取付け具４の長さが挿入機の挿入取付け具収容部と分水栓の開放孔１８のスペースに収容しきれない場合にはスペースアダプターを介在させて長さ調節を行う。
【００２３】
挿入機は、機内に押込杆が嵌装され、その下端に挿入取付け具上端の螺合杆と螺合して挿入取付け具４を接合する螺孔が設けられると共に、分水栓上部開放孔１８の外側の螺合部４５と螺合して挿入機を分水栓上に固定する螺着部と押込ハンドルを有し、押込杆により密着コア３を装着した挿入取付け具４を分水栓通水口１１から本管穿孔部２１に強制的に圧入する。
【００２４】
図６に示すように挿入取付け具４の先端が本管穿孔部２１を貫通して密着コアのフランジ部３４が水道本管２上面に達すると、フランジが本管２の上面に掛架されて挿入取付け具４の更なる圧入により、拡径部４２が密着コア３を強制的に拡径して通水口１１と穿孔部２１の内壁に圧接する。
【００２５】
以上のようにコア部材３が通水口１１と穿孔部２１に密着固定されたところで、図８に示すように押込杆を引上げ挿入取付け具４を抜去して螺着部の螺合を解き、キャップ１７で分水栓上部を閉鎖して作業が完了する。
【００２６】
本発明は以上のように構成したので、筒環状のリング本体がフランジ体の構造的安定性と堅牢性を保持すると共に、係止ビスの螺合によって係止リングを一旦装着すれば、係止リングが摩耗や径年疲労によって交換の必要を生ずるまでは何回でも密着コアを係止でき、リングの交換も係止ビスの螺合だけで簡易迅速に行うことができ、密着コア装着作業の能率を飛躍的に高めたものである。
【図面の簡単な説明】
【００２７】
【図１】本発明による分水栓密着コア係止方法と係止具の実施例を示すもので、挿入取付け具と密着コアの関係を示す挿入取付け具の先端部と密着コアの拡大分解縦断側面図
【図２】同じく、挿入取付け具への密着コア挿通時における係止リングフランジ体の縮窄状况を示す挿入取付け具の先端部と密着コアの部分拡大縦断側面図
【図３】同じく、挿入取付け具への密着コア係止状態を示す部分拡大縦断            側面図
【図４】同じく、係止リングフランジ体を舌片形状とした実施例を示す係            止リングの拡大斜視図
【図５】分水栓と密着コアの関係を示す要部を切欠断面とした分水栓の全            体側面図
【図６】挿入取付け具にコア部材を止着して本管穿孔部に嵌入した状態を            示す挿入取付け具先端部と密着コアの縦断側面図
【図７】挿入取付け具拡径部を密着コアに強制圧入して挿通し、密着コア頂部を押圧により外側に曲潰拡幅して密着させる状態を示す挿入取付け具と密着コアの縦断側面図
【図８】挿入取付け具拡径部を密着コアに強制圧入して挿通し、密着コア頂部を押圧により外側に曲潰拡幅して密着させ、挿入取付け具を抜去する状態を示す挿入取付け具先端と密着コアの縦断側面図
【符号の説明】
【００２８】
１  分水栓本体
１１  分水栓通水口
１２  締着サドル
１３  分水栓弁室
１４  球弁回動軸
１５  球弁
１６  支管への通水路
１７  キャップ
１８  分水栓上部開放孔
１９  球弁の弁孔
２  水道配管の本管
２１  本管穿孔部
２２  本管内壁ライニング層
３  密着コア
３１  密着コアの下端突状体
３２  密着コアの上端突出部
３３  密着コアの頂部
３４  密着コアのフランジ部
３５  密着コアの頂部の曲折構造
４  挿入取付け具
４１  密着コア着装部
４２  拡径部
４３  挿入取付け具フランジ部
４４  挿入取付け具下端の止着ビス螺合孔
５  係止リング
５１  係止リングの本体部
５２  係止リングのフランジ体
６  止着ビス
６１  止着ビスの傘頭
６２  止着ビスのビスフランジ
【図１】
2008164047.tif 000003
【図２】
2008164047.tif 000004
【図３】
2008164047.tif 000005
【図４】
2008164047.tif 000006
【図５】
2008164047.tif 000007
【図６】
2008164047.tif 000008
【図７】
2008164047.tif 000009
【図８】
2008164047.tif 000010